(57)【特許請求の範囲】
【請求項１】
外壁と、この外壁に固定されている外装材と、この外装材と前記外壁との間に設けられている外断熱材とを備えた外断熱構造において、
前記外壁の表面にふかし材が前記外壁の構造材に沿って配置されているとともに、この構造材に前記ふかし材が固定され、前記外壁の表面に前記外断熱材が前記ふかし材に当接した状態で設けられ、前記ふかし材に固定された押え材によって前記外断熱材が前記外壁の表面に押え付けられ、前記押え材に外装材取付部材が固定され、この外装材取付部材に前記外装材が固定されており、
前記ふかし材は縦方向に延設して横方向に所定間隔で設けられ、前記押え材は横方向に延設して設けられ、前記外装材取付部材は縦方向に延設して設けられ、
かつ前記押え材は、その幅が縦方向に広い押え材と、その幅が縦方向に狭い押え材とが交互に縦方向に離間して設けられ、前記広い押え材に前記外装材取付部材が固定されている
ことを特徴とする外断熱構造。
【請求項２】
請求項１に記載の外断熱構造において、
前記外壁は壁パネルであり、前記ふかし材が固定用ビスで前記壁パネルの框材に固定されている
ことを特徴とする外断熱構造。
【発明の詳細な説明】
【技術分野】
【０００１】
本発明は、外断熱構造に関する。
【背景技術】
【０００２】
住宅などの建物において、外壁からの熱の拡散を防止する目的で設けられる外断熱構造の一例として特許文献１に記載のものが知られている。
この外断熱構造に使用される外断熱材は、外壁と、この外壁に胴縁を介して取り付けられる外装材との間に複数設けられるものであり、軟質断熱材と、この軟質断熱材に設けられ、他の軟質断熱材が圧縮されてなる圧縮部材とを備え、前記軟質断熱材に、前記圧縮部材が固定されることにより、前記軟質断熱材と前記圧縮部材とが一体化されてなるものである。
そして、このような外断熱材を使用した外断熱構造では、外断熱材の圧縮部材に、胴縁が圧縮部材に対して略平行となるように取り付けられ、この胴縁に外装材が取り付けられている。
【先行技術文献】
【特許文献】
【０００３】
【特許文献１】特開２００５−２００９２４号公報
【発明の概要】
【発明が解決しようとする課題】
【０００４】
しかし、上記方法では、前記軟質断熱材と前記圧縮部材との２種類の断熱材を用意する必要があったため、１種類の断熱材を使用する場合に比べコスト高になる傾向があった。
このため、通常の軟質の外断熱材を使用して外壁断熱構造を施工することが望まれる。しかし、通常の軟質の外断熱材を使用する場合、この外断熱材を外壁表面に設けるとともに、この外断熱材の表面に外装材を固定するのは困難であった。すなわち、外断熱材は軟質であり、施工の際に厚さの目安となるものがないので、外断熱材をその厚さをほぼ均一にして外壁表面に設けるのが困難であった。さらに、外断熱材は軟質であるので、その上に直接外装材を固定するのはほぼ不可能であった。
【０００５】
本発明は、外壁の表面に外断熱材を容易かつ正確に設けることができるとともに、外装材を容易に取り付けることができる外断熱構造を提供することを目的とする。
【課題を解決するための手段】
【０００６】
上記課題の少なくとも一つを解決するために、請求項１に記載の外断熱構造に係る発明は、例えば、図１〜図３に示すように、
外壁１と、この外壁１に固定されている外装材７と、この外装材７と前記外壁１との間に設けられている外断熱材４とを備えた外断熱構造において、
前記外壁１の表面にふかし材２ａ、２ｂが前記外壁１の構造材（例えば、縦框材２１、横框材２２、補強芯材２３）に沿って配置されているとともに、この構造材２１、２２、２３に前記ふかし材２ａ、２ｂが固定され、前記外壁１の表面に前記外断熱材４が前記ふかし材２ａ、２ｂに当接した状態で設けられ、前記ふかし材２ａ、２ｂに固定された押え材３ａ、３ｂによって前記外断熱材４が前記外壁１の表面に押え付けられ、前記押え材３ａ、３ｂに外装材取付部材６が固定され、この外装材取付部材６に前記外装材７が固定されており、
前記ふかし材２ａ、２ｂは縦方向に延設して横方向に所定間隔で設けられ、前記押え材３ａ、３ｂは横方向に延設して設けられ、前記外装材取付部材６は縦方向に延設して設けられ、
かつ前記押え材３ａ、３ｂは、その幅が縦方向に広い押え材３ａと、その幅が縦方向に狭い押え材３ｂとが交互に縦方向に離間して設けられ、前記広い押え材３ａに前記外装材取付部材６が固定されている
ことを特徴とする。
【０００７】
請求項１に記載の発明によれば、前記外壁１の表面にふかし材２ａ、２ｂが前記外壁１の構造材２１、２２、２３に沿って配置されているので、外断熱材を外壁の表面に設ける際に、このふかし材２ａ、２ｂを目安として外断熱材の厚さをほぼ均一に揃えることができ、さらに、この外断熱材がふかし材２ａ、２ｂに固定された押え材３ａ、３ｂによって外壁の表面に押え付けられているので、外断熱材の厚さをほぼ均一にして外壁の表面に設けることができる。
また、ふかし材２ａ、２ｂは構造材に固定されているので、このふかし材に外装材取付部材６を強固に固定でき、この外装材取付部材６に外装材７を容易かつ確実に取り付けることができる。
【０００９】
さらに、前記ふかし材２ａ、２ｂは縦方向に延設して横方向に所定間隔で設けられ、前記押え材３ａ、３ｂは横方向に延設して設けられ、前記外装材取付部材６は縦方向に延設して設けられていることにより、所定の大きさの前記外断熱材４をふかし材２ａ、２ｂの間に挿入することができ、前記押え材３ａ、３ｂにより外断熱材４を抑えることができ、外装材取付部材間に縦方向に通気層を設けることができる。
【００１１】
加えて、前記押え材３ａ、３ｂは、その幅が縦方向に広い押え材３ａと、その幅が縦方向に狭い押え材３ｂとが交互に縦方向に離間し設けられ、前記広い押え材３ａに前記外装材取付部材６が固定されていることにより、前記広い押え材３ａに前記外装材取付部材６を確実に固定できるとともに、前記外断熱材４を前記広い押え材３ａに加えて狭い押え材３ｂで確実に前記外壁１側に押えることができる。
【００１２】
請求項２に記載の発明は、例えば、図１〜図３に示すように、
前記外壁１は壁パネル１Ａであり、前記ふかし材２ａ、２ｂが固定用ビス８ａで前記壁パネル１Ａの框材に固定されている
ことを特徴とする。
【００１３】
請求項２に記載の発明によれば、前記外壁１は壁パネル１Ａであり、前記ふかし材２ａ、２ｂが固定用ビス８ａで前記壁パネル１Ａの框材に固定されていることにより、前記ふかし材２ａ、２ｂを前記壁パネル１Ａの框材に強固に固定することができる。
【発明の効果】
【００１６】
本発明によれば、前記外壁１の表面にふかし材２ａ、２ｂが前記外壁１の構造材２１、２２、２３に沿って配置されているので、外断熱材を外壁の表面に設ける際に、このふかし材２ａ、２ｂを目安として外断熱材の厚さをほぼ均一に揃えることができ、さらに、この外断熱材がふかし材２ａ、２ｂに固定された押え材３ａ、３ｂによって外壁の表面に押え付けられているので、外断熱材の厚さをほぼ均一にして外壁の表面に設けることができる。また、ふかし材２ａ、２ｂは構造材に固定されているので、このふかし材に外装材取付部材６を強固に固定でき、この外装材取付部材６に外装材７を容易かつ確実に取り付けることができる。
しかも、外装材取付部材間に縦方向に通気層を設けることができる。
【図面の簡単な説明】
【００１７】
【図１】本発明に係る外断熱構造の一例を示す図であり、（ａ）は外断熱構造を説明するための図であり、（ｂ）はふかし材の一例を示す図である。
【図２】同、（ａ）切妻屋根の部分断面図、（ｂ）は図１（ａ）のＩ−Ｉ部分断面図である。
【図３】同、（ａ）陸屋根の部分断面図、（ｂ）は図１（ａ）のＩ−Ｉ部分断面図である。
【図４】同、壁パネルの一例を示す斜視図である。
【図５】同、（ａ）は外壁防水透湿シートの取り付けを説明するための図であり、（ｂ）は図５（ａ）のＩＩ−ＩＩ断面図である。
【発明を実施するための形態】
【００１８】
以下、図面を参照して本発明の実施の形態について説明する。
【００１９】
＜実施の形態＞
図１〜図３は、住宅等の建物の外断熱構造を示す。図１および図２において符号１０は建物の基礎を示す。この基礎１０の上に換気台輪１１が設けられ、換気台輪１１の上に床パネル１２と半土台１３が設けられ、これら床パネル１２と半土台１３の上に壁パネル１Ａが設けられている。ここで、床パネル１２と半土台１３とは接着剤等で接合されている。
前記壁パネル１Ａは、縦框材２１，２１と横框材２２，２２とが矩形状に組み立てられるとともに、この矩形枠の内部に補強芯材２３が縦横に組まれて枠体が形成され、さらにこの枠体内にグラスウール等の断熱材（図示せず）が充填された状態で枠体の表裏面に合板等の面材２５，２５が貼設されたものである。
基礎１０には、アンカーボルト（図示せず）がその上端部を基礎１０から突出させて埋め込まれ、このアンカーボルトが換気台輪１１と、床パネル１２と半土台１３の接合部と、壁パネル１Ａ下部の横框材２２を挿通し、ナット（図示せず）と螺合され、ナットがアンカーボルトに締め付けられることにより、壁パネル１Ａが基礎１０に固定されている。壁パネル１Ａの縦框材２１、横框材２２、補強芯材２３は壁パネル１Ａを構成する構造材である。
【００２０】
ここで、本発明に係る外断熱構造では、複数の壁パネル１Ａを横方向に接合してなる外壁１と、この外壁１に固定されている外装材７と、この外装材７と前記外壁１との間に設けられている外断熱材４とを備えた構造において、前記外壁１の表面および半土台１３の表面にふかし材２ａ、２ｂが前記壁パネル１Ａの縦框材２１および半土台１３に沿って配置されているとともに、この縦框材２１および半土台１３に前記ふかし材２ａ、２ｂが固定用ビス８ａで固定されている。図１（ａ）に示す例では、壁パネル１Ａが４枚示されている。立面視において、これら４枚の壁パネル１Ａうちの一番右側の壁パネル１Ａの右の縦框材２１にふかし材１ａが固定されている。右から２番目と３番目の壁パネル１Ａについては、右と左の縦框材２１にふかし材１ａが固定されている。一番左の壁パネル１Ａについては、左の縦框材２１にふかし材１ａが固定されている。これは、押え材の長さが壁パネル２枚分の長さ（例えば、１８２０ｍｍ）であるため、これに合わせて、ふかし材の取り付け枚数が決められている。
【００２１】
ふかし材２ａ，２ｂは長尺な帯板材で形成されており、図１（ｂ）に示すように、ふかし材２ａ、２ｂに予め所定間隔でビス孔が複数設けられている。そのため、現場で、ふかし材２ａ、２ｂを縦框材２１に取付ける際の作業効率が向上する。具体的には、前記ふかし材２ａ、２ｂは、長手方向において、互いに向かい合う広い面と、互いに向かい合う狭い面を有し、前記狭い面間にビスが挿通されるビス孔８ｃが予め設けられ、このビス孔８ｃに一方の前記狭い面から他方の前記狭い面へ前記ビス８ａが挿通され、このビス８ａが前記壁パネル１Ａおよび半土台１３に挿入されることにより、前記壁パネル１Ａおよび半土台１３に前記ふかし材２ａ、２ｂが接合されている。ここで、ふかし材２ａ、２ｂの壁からの幅を大きく（広い面の短手を長く）することにより、厚い断熱材を使用することが可能になる。
【００２２】
図１〜図３に示す例では、木口隠し９が半土台１３に取付けられた後、前記壁パネル１Ａの下部の半土台１３にふかし材２ｂが横方向に固定用ビス８ａで取付けられている。このふかし材２ｂの両端の上面にふかし材２ａがそれぞれ当接して縦方向に設けられ、前記壁パネル１Ａの縦框材２１にふかし材２ａが縦方向に固定用ビス８ａで取付けられている。
【００２３】
前記壁パネル１Ａの表面に前記外断熱材４が前記ふかし材２ａ、２ｂに当接している状態で設けられている。この外断熱材４は、前記ふかし材２ａに固定された押え材３ａ、３ｂによって、前記壁パネル１Ａの表面および半土台１３の表面に押え付けられている。また、外断熱材としては、グラスウール、ロックウール等の軟質断熱材を使用することができる。この押え材３ａ、３ｂは、固定用ビス８ｂで前記ふかし材２ａに固定されている。押え材３ａ、３ｂ上に外壁防水透湿シート５ａが外断熱材４の全面を覆うように施工される。
【００２４】
次に、この外壁防水透湿シート５ａを介して前記押え材３ａ、３ｂに胴縁６が固定され、この胴縁６に前記外装材７が固定されている。具体的には、前記ふかし材２ａは縦方向に延設して横方向に所定間隔で設けられ、前記押え材３ａ、３ｂは横方向に延設して設けられ、前記胴縁６は縦方向に延設して設けられている。また、前記押え材３ａ、３ｂは、その幅が縦方向に広い押え材３ａ、３ｂと、その幅が縦方向に狭い押え材３ａ、３ｂとが交互に縦方向に離間し設けられ、前記広い押え材３ａ、３ｂに前記胴縁６が固定されている。
【００２５】
（外断熱施工方法）
次に、壁パネル１Ａと、この壁パネル１Ａに固定されている外装材７と、この外装材７と前記壁パネル１Ａとの間に設けられている外断熱材４とを備えた外断熱構造の外断熱施工方法について、説明する。上述したように、基礎１０に壁パネル１Ａが取付けられていることを前提に説明する。
【００２６】
本実施の形態では、前記壁パネル１Ａの表面および半土台１３の表面にふかし材２ａ、２ｂを前記壁パネル１Ａの縦框材２１および半土台１３に沿って配置するとともに、この縦框材２１および半土台１３に前記ふかし材２ａ、２ｂを固定する。
【００２７】
ここで、図１（ｂ）に示すように、ふかし材２ａ、２ｂに予め所定間隔でビス孔が複数設けられているため、現場で、縦框材２１および半土台１３にふかし材２ａ、２ｂを取付ける際の作業効率が向上する。具体的には、前記ふかし材２ａ、２ｂは、長手方向において、互いに向かい合う広い面と、互いに向かい合う狭い面を有し、前記狭い面間にビスが挿通されるビス孔８ｃが予め設けられ、このビス孔８ｃに一方の前記狭い面から他方の前記狭い面へ前記ビス８ａを挿通し、このビス８ａを前記壁パネル１Ａおよび半土台１３に挿入することにより、前記壁パネル１Ａおよび半土台１３に前記ふかし材２ａ、２ｂを固定する。
【００２８】
図１〜図３に示す例では、木口隠し９を半土台１３に取付けた後、前記壁パネル１Ａの下部の半土台１３にふかし材２ｂを横方向に固定用ビス８ａで取付ける。このふかし材２ｂの両端にふかし材２ａを縦方向に設け、前記壁パネル１Ａの縦框材２１にふかし材２ａを縦方向に固定用ビス８ａで固定する。
【００２９】
前記壁パネル１Ａの表面に前記外断熱材４をおよび前記ふかし材２ａ、２ｂに当接した状態で設ける。この外断熱材４を、前記ふかし材２ａに固定した押え材３ａ、３ｂによって、前記壁パネル１Ａの表面および半土台１３の表面に押え付ける。この押え材３ａ、３ｂは、固定用ビス８ｂで前記ふかし材２ａに固定されている。その後、押え材３ａ、３ｂ上に外壁防水透湿シート５ａを外断熱材４の全面を覆うように施工する。
【００３０】
次に、この外壁防水透湿シート５ａを介して前記押え材３ａ、３ｂに胴縁６を固定した後、この胴縁６に前記外装材７を固定する。具体的には、前記ふかし材２ａを縦方向に延設して横方向に所定間隔で設け、前記押え材３ａ、３ｂを横方向に延設して設け、前記胴縁６を縦方向に延設して設ける。また、前記押え材３ａ、３ｂについては、その幅が縦方向に広い押え材３ａ、３ｂと、その幅が縦方向に狭い押え材３ａ、３ｂとを交互に縦方向に離間し設け、前記広い押え材３ａ、３ｂに前記胴縁６を固定する。
【００３１】
（屋根との納まり）
図２（ａ）および図３（ａ）に示すように、外断熱構造を採用した場合には、屋根との納まり部分においても、ふかし材２ａ、２ｂが複数の壁パネル１Ａからなる外壁１の構造材に沿って配置されているとともに、この構造材に前記ふかし材２ａ、２ｂが固定され、前記外壁１ａの表面および前記ふかし材２ａ、２ｂに前記外断熱材４が当接している状態で設けられ、前記ふかし材２ａに固定された押え材３ａ、３ｂによって前記外断熱材４が前記外壁１の表面に押え付けられ、前記押え材３ａ、３ｂに胴縁６が固定され、この胴縁６に前記外装材７が固定されている。
【００３２】
本実施の形態によれば、前記外壁１の表面にふかし材２ａ、２ｂが前記外壁１の構造材２１、２２、２３に沿って配置されているので、外断熱材を外壁の表面に設ける際に、このふかし材２ａ、２ｂを目安として外断熱材の厚さをほぼ均一に揃えることができ、さらに、この外断熱材がふかし材２ａ、２ｂに固定された押え材３ａ、３ｂによって外壁の表面に押え付けられているので、外断熱材の厚さをほぼ均一にして外壁の表面に設けることができる。
また、ふかし材２ａ、２ｂは構造材に固定されているので、このふかし材に胴縁を強固に固定でき、この胴縁に外装材７を容易かつ確実に取り付けることができる。
【００３３】
また、前記ふかし材２ａ、２ｂは縦方向に延設して横方向に所定間隔で設けられ、前記押え材３ａ、３ｂは横方向に延設して設けられ、前記胴縁６は縦方向に延設して設けられていることにより、所定の大きさの前記外断熱材４をふかし材２ａ、２ｂの間に挿入することができ、前記押え材３ａ、３ｂにより外断熱材４を抑えることができ、縦方向に通気層を設けることができる。
【００３４】
また、前記押え材３ａ、３ｂは、その幅が縦方向に広い押え材３ａと、その幅が縦方向に狭い押え材３ｂとが交互に縦方向に離間し設けられ、前記広い押え材３ａに前記胴縁６が固定されていることにより、前記広い押え材３ａに前記胴縁６を確実に固定できるとともに、前記外断熱材４を前記広い押え材３ａに加えて狭い押え材３ｂで確実に前記外壁１側に押えることができる。
【００３５】
また、前記外壁１は壁パネル１Ａであり、前記ふかし材２ａ、２ｂが固定用ビス８ａ、８ｂで前記壁パネル１Ａの框材２１に固定されていることにより、前記ふかし材２ａが前記壁パネル１Ａの框材に強固に固定することができる。
【００３６】
また、前記外壁１の表面にふかし材２ａ、２ｂが前記外壁１の構造材２１、２２、２３に沿って配置されているので、外断熱材を外壁の表面に設ける際に、このふかし材２ａ、２ｂを目安として外断熱材の厚さをほぼ均一に揃えることができ、さらに、この外断熱材がふかし材２ａ、２ｂに固定された押え材３ａ、３ｂによって外壁の表面に押え付けられているので、外断熱材の厚さをほぼ均一にして外壁の表面に設けることができる。
また、ふかし材２ａ、２ｂは構造材に固定されているので、このふかし材に胴縁を強固に固定でき、この胴縁に外装材７を容易かつ確実に取り付けることができる。
【００３７】
（変形例）
上記実施の形態においては、外装材取付部材として、胴縁６を押え材３ａに取付けた例について説明したが、これに限られない。
前記胴縁６の代わりに、外装材取付部材として、固定金物を押え材３ａに取付けて、この固定金物に外装材７を取付けるようにしてもよい。
また、ふかし材２ａを縦框材２１に固定する例について説明したが、これに限られず、補強芯材２３にふかし材２ａを固定し、前記外壁の表面に外断熱材をふかし材２ａに当接した状態で設けるようにしてもよい。また、ふかし材２ｂを半土台１３に固定する例について説明したが、これに限られず、外断熱材の縦方向の長さを短くしてふかし材２ｂを横框材２２に固定し、前記外壁の表面外断熱材をふかし材２ｂに当接した状態で設けるようにしてもよい。
また、図１に示すように、外断熱材４の全面を覆うような大きな外壁防水透湿シート５ａを設ける例について図示したが、これに限られない。図５に示すように、所定幅（例えば、１０１０ｍｍ）の外壁防水透湿シート５ｂを横方向に延設して設けてもよい。このとき、複数の押え材３ａは、外壁防水透湿シート５ｂの所定幅に従って、上下に離間して横方向に延設して設けられている。例えば、ある押え材３ａの上面の高さに外壁防水透湿シート５ｂの上端を合わせて、外壁防水透湿シート５ｂを押え材３ａに取り付けた場合、この外壁防水透湿シート５ｂの下端が他の押え材３ａの下面の高さと同じになるように、複数の押え材３ａが離間して設けられている。この場合、ある押え材３ａの上面の高さと他の押え材３ａの下面の高さとの差が１０１０ｍｍとなる。そして、外壁防水透湿シート５ｂを下から順に上方向に取り付けると、押え材３ａの幅分重なった状態で、複数の外壁防水透湿シート５ｂを取り付けることができる。押え材３ａの幅は、防水に必要な重なり長さとなる。
なお、変形例においては、上記実施の形態と同じ部材には同一の符号を付し、説明を省略する。
【符号の説明】
【００３８】
１     外壁
１Ａ   壁パネル
２ａ、２ｂ    ふかし材
３ａ、３ｂ    押え材
４     外断熱材
５     外壁防水透湿シート
６     胴縁
７     外装材
８ａ、８ｂ    固定用ビス
【図１】
0005745983.tif 000002
【図２】
0005745983.tif 000003
【図３】
0005745983.tif 000004
【図４】
0005745983.tif 000005
【図５】
0005745983.tif 000006